(57)【要約】  トコジラミのモニター及び／又は捕獲装置は、実質的に取り囲まれた内部空間及び落とし罠トラップを画定する筐体；トコジラミがそこを通って移動することのできる少なくとも１つの通路を画定する落とし罠トラップに隣接して取りつけられた退避エレメント；筐体の内部空間内に設けられた少なくとも１つのトコジラミ誘引エレメント；並びに落とし罠トラップ及び／若しくは退避エレメント上の、又は隣接した場所で筐体の少なくとも１つの壁に画定された少なくとも１つの開口部を備え、トコジラミ誘引エレメントから放出する煙霧は、トコジラミを落とし罠トラップ及び退避エレメントのほうにおびき寄せるために、少なくとも１つの開口部を通って装置の外側の場所に出ることができる。【選択図】図３
2013544514.tif 000002
【特許請求の範囲】
【請求項１】
トコジラミのモニター及び／又は捕獲装置であって、
実質的に取り囲まれた内部空間を画定する筐体と、
前記筐体の内部空間内に設けられた少なくとも１つのトコジラミ誘引エレメントと、
前記筐体上に画定された、又は前記筐体上に設けられた退避エレメントと、
前記退避エレメントと隣接した位置で、前記筐体の少なくとも１つの壁に画定された少なくとも１つの開口部と、
を備え、
前記退避エレメントは、トコジラミがそこを通って移動することのできる少なくとも１つの通路を画定し、
前記トコジラミ誘引エレメントから発散する煙霧は、前記退避エレメントのほうにトコジラミをおびき寄せるために、前記少なくとも１つの開口部を通って、前記装置の外側の場所に出て行くことができる、
ことを特徴とする装置。
【請求項２】
前記筐体は、前記退避エレメントに隣接して設けられた落とし罠トラップを備え、
前記筐体の少なくとも１つの開口部及び／又は前記落とし罠トラップにおける開口部は、前記トコジラミ誘引エレメントから発散する煙霧が、前記落とし罠トラップのほうへトコジラミをおびき寄せるように設けられる、
ことを特徴とする請求項１に記載の装置。
【請求項３】
前記落とし罠トラップは、トコジラミが前記落とし罠トラップに入った場合に前記落とし罠トラップからの脱出を制限又は防止するように、少なくとも１つの壁により取り囲まれる平らな窪んだ領域を備える、
ことを特徴とする請求項２に記載の装置。
【請求項４】
前記退避エレメントの少なくとも１つの通路の幅寸法は、前記落とし罠トラップのほうへトコジラミをおびき寄せるように、前記落とし罠トラップの方向に向かって小さくなる、
ことを特徴とする請求項２に記載の装置。
【請求項５】
前記落とし罠トラップは、前記筐体の上面に配置され、前記退避エレメントは、前記筐体の側面に配置される、
ことを特徴とする請求項２に記載の装置。
【請求項６】
前記トコジラミ誘引エレメントは、アルデヒドのソース、有機酸のソース及び二酸化炭素のソースを備える、
ことを特徴とする請求項１に記載の装置。
【請求項７】
前記筐体の少なくとも１つの壁に画定された第一の開口部は、前記アルデヒドのソースから発散する煙霧を通すように設けられ、前記筐体の少なくとも１つの壁に画定された第二の開口部は、前記有機酸のソースから発散する煙霧を通すように設けられ、前記筐体の少なくとも１つの壁に画定された第三の開口部は、前記二酸化炭素のソースから発散する煙霧を通すように設けられる、
ことを特徴とする請求項６に記載の装置。
【請求項８】
前記筐体は、前記退避エレメントに隣接して設けられた落とし罠トラップを備え、
前記第一の開口部は、前記退避エレメントに隣接する前記筐体の側壁に備えられ、前記第二の開口部及び第三の開口部は、前記筐体の前記落とし罠トラップに備えられる、
ことを特徴とする請求項７に記載の装置。
【請求項９】
トコジラミのモニター及び／又は捕獲装置であって、
実質的に取り囲まれた内部空間及び落とし罠トラップを画定する筐体と、
前記筐体の内部空間内に設けられた少なくとも１つのトコジラミ誘引エレメントと、
前記落とし罠トラップ上の、又は前記落とし罠トラップに隣接した場所で前記筐体の少なくとも１つの壁に画定された少なくとも１つの開口部と、
を備え、
前記トコジラミ誘引エレメントから発散する煙霧は、前記落とし罠トラップのほうにトコジラミをおびき寄せるために、少なくとも１つの開口部を通って、前記装置の外側の場所に出て行くことができる、
ことを特徴とする装置。
【請求項１０】
前記落とし罠トラップは、トコジラミが前記落とし罠トラップに入った場合に前記落とし罠トラップからの脱出を制限又は防止するように、少なくとも１つの壁により取り囲まれる平らな窪んだ領域を備える、
ことを特徴とする請求項９に記載の装置。
【請求項１１】
トコジラミがそこを通って移動することのできる少なくとも１つの通路を画定する筐体に配置された退避エレメントをさらに備える、請求項９に記載の装置。
【請求項１２】
前記落とし罠トラップは、前記筐体の上面に配置され、前記退避エレメントは、前記筐体の側面に配置される、
ことを特徴とする請求項１１に記載の装置。
【請求項１３】
前記トコジラミ誘引エレメントは、アルデヒドのソース、有機酸のソース及び二酸化炭素のソースを備える、
ことを特徴とする請求項９に記載の装置。
【請求項１４】
前記筐体の少なくとも１つの壁に画定された第一の開口部は、前記アルデヒドのソースから発散する煙霧を通すように設けられ、前記筐体の少なくとも１つの壁に画定された第二の開口部は、前記有機酸のソースから発散する煙霧を通すように設けられ、前記筐体の少なくとも１つの壁に画定された第三の開口部は、前記二酸化炭素のソースから発散する煙霧を通すように設けられる、
ことを特徴とする請求項１３に記載の装置。
【請求項１５】
前記落とし罠トラップに隣接して前記筐体に設けられた退避エレメントをさらに備え、
前記第一の開口部は、前記退避エレメントに隣接して前記筐体の側壁に備えられ、前記第二の開口部及び第三の開口部は、前記筐体の前記落とし罠トラップに備えられる、
ことを特徴とする請求項１４に記載の装置。
【請求項１６】
前記落とし罠トラップに隣接して前記筐体に配置された退避エレメントをさらに備え、
前記退避エレメントは、前記筐体の側面に設けられ、前記落とし罠トラップは、前記筐体の上面に設けられる、
ことを特徴とする請求項１４に記載の装置。
【請求項１７】
トコジラミをモニター及び／又は捕捉するためのキットであって、
実質的に取り囲まれた内部空間を画定する筐体、及びトコジラミを前記筐体のほうへおびき寄せるための、内部空間から前記筐体の外側の１又は２以上の場所に通じる１又は２以上の煙霧通路を備える前記筐体の１又は２以上の壁に画定された複数の開口部と、
前記筐体の前記複数の開口部のうち少なくとも１つに隣接した場所で前記筐体の前記内部空間内に設けられるよう構成された二酸化炭素のソースと、
前記筐体の前記複数の開口部のうち少なくとも１つに隣接した場所で前記筐体の前記内部空間内に設けられるよう構成された有機酸のソースと、
前記筐体の前記複数の開口部のうち少なくとも１つに隣接した場所で前記筐体の前記内部空間内に設けられるよう構成されたアルデヒドのソースと、
を備えるキット。
【請求項１８】
前記二酸化炭素のソース、前記有機酸のソース及び前記アルデヒドのソースは、不用意な漏出を防止するように各々密閉されている、
ことを特徴とする請求項１７に記載のキット。
【請求項１９】
トコジラミのモニター及び／又は捕獲装置のための二酸化炭素カートリッジアセンブリであって、当該カートリッジが、
筐体であって、複数の内部コンパートメントを有する実質的に取り囲まれた内部空間、並びに前記トコジラミのモニター及び／又は捕獲装置のほうにトコジラミをおびき寄せるように、前記内部空間内から当該筐体の外側の場所に二酸化炭素を出すための、当該筐体の壁に画定された少なくとも１つの開口部を備える筐体と、
前記複数のコンパートメントの第一のコンパートメント内に収容された第一の化学組成物と、
前記複数のコンパートメントの第二のコンパートメント内に収容された第二の化学組成物と、
前記複数のコンパートメントの第三のコンパートメント内に収容された第三の化学組成物と、
前記複数のコンパートメント内の化学成分の不用意な混合を防ぐための、前記第一のコンパートメント、前記第二のコンパートメント及び前記第三のコンパートメントをカバーする１又は２以上の取り外し可能なシールと、
を備え、
前記シールを取り外すと、前記複数のコンパートメント内の化学成分がともに混合されて、二酸化炭素を生成する、
ことを特徴とする二酸化炭素カートリッジアセンブリ。
【請求項２０】
前記コンパートメントのうちの１つに収容される凝集防止剤をさらに備える、請求項１９に記載の二酸化炭素カートリッジアセンブリ。
【請求項２１】
各々の前記化学組成物は、乾燥した酸、固体の塩基性物質、及び乾燥した潮解性物質からなる群より選択される、
ことを特徴とする請求項１９に記載の二酸化炭素カートリッジアセンブリ。
【請求項２２】
トコジラミのモニター及び／又は捕獲装置のためのアンプルアセンブリであって、
２つの個別のバイアルを備える筐体と、
前記筐体の１つのバイアル内に収容された第一の化学組成物と、
前記筐体の他のバイアル内に収容された第二の化学組成物と、
前記バイアルの化学成分の不用意な漏出を防止するための、前記バイアルをカバーする１又は２以上のシールと、
を備えるアンプルアセンブリ。
【請求項２３】
前記筐体が解放可能なように取り付けられたアンプルホルダーをさらに備える、請求項２２に記載のアンプルアセンブリ。
【請求項２４】
前記アンプルホルダーは、前記アンプルホルダーに筐体を取りつける際に前記筐体の前記バイアルをカバーする１又は２以上のシールを突き破るように構成された２つの針を備える、
ことを特徴とする請求項２３に記載のアンプルアセンブリ。
【請求項２５】
前記筐体は、単一の方向のみで前記アンプルホルダーに取りつけられるように構成される、
ことを特徴とする請求項２３に記載のアンプルアセンブリ。
【請求項２６】
面に１又は２以上の開口部を有するトコジラミの落とし罠トラップ。
【請求項２７】
前記落とし罠トラップに隣接して取りつけられた退避部をさらに含む、請求項２６に記載のトコジラミの落とし罠トラップ。
【発明の詳細な説明】
【技術分野】
【０００１】
本発明は、トコジラミ（Ｂｅｄ  ｂｕｇ）のモニター及び／又は捕獲装置に関する。
【背景技術】
【０００２】
トコジラミは、ヒト及び温血宿主の血を餌とする、トコジラミ科の小型の夜行性の虫である。トコジラミは、謎めいた行動をとるため、その検出及び制御は困難であり、時間を要する。これは、一般的なトコジラミであるトコジラミ（ナンキンムシ）では特に真実であり、それはヒトの環境に良く適応する。例えばタイワントコジラミ（ネッタイナンキンムシ）といった他の種のトコジラミは、人々及び／又は動物にとって同様に厄介者である。
【０００３】
米国といった多くの領域でトコジラミが制御されてきた一方で、ここ数年、海外旅行の増加により、この厄介者が復活してきている。トコジラミがある場所での存在を確立させると、それらを全滅させるのを困難にしているトコジラミの多くの特徴がある。したがって、トコジラミが定着する前にそれらの存在を確認する効果的なトラップが必要とされる。
【０００４】
成虫のトコジラミは、約６ミリメーターの体長で、５−６ミリメーターの幅を有し、卵型で扁平な体は、赤褐色である。未成熟な幼虫は、成虫と外観において同様であるが、より小さく、色が薄い。トコジラミは、飛ぶことができないが、表面上を素早く動くことができる。雌のトコジラミは、人目につかない場所に卵を産み、最高で１日に５個の卵を産むことができ、生涯で５００個もの卵を産む。トコジラミの卵は非常に小さく、およそ塵のスペックのサイズである。最初に産み落とされると、卵は粘着性を有し、それゆえ表面に接着する。
【０００５】
トコジラミは、餌がなくても長期間にわたって生きることができる。幼虫は餌なしで数週間生きることができ、成虫は数カ月生きることができる。それゆえ、単に短期間存在していない状態にしても、蔓延を低減させることはできない。
【０００６】
トコジラミは夜間には活動的である一方で、昼間には小さな割れ目や亀裂に隠れる傾向にある。それゆえ、ベッド、ベッドフレーム、家具、幅木、カーペット及び無数の他の場所でトコジラミが隠れているのを見つけるのは容易である。トコジラミは、寄り集まる傾向にあるが、他の虫と同様に巣を作らない。
【０００７】
トコジラミは、細長い口の部分により血を吸って栄養を得る。それらは、３−１０分間ヒトの血を吸うが、ヒトは刺された感覚をほとんど感じない。刺されたヒトはしばしば、かゆみを伴うみみず腫れ又は遅発性の過敏反応を経験し、刺された箇所が腫れる。しかしながら、いくらかのヒトはトコジラミに刺されても、反応しないか、非常にわずかな反応しか示さない。トコジラミの刺し跡は、蚊やダニといった他の害虫と同様の徴候を有する。刺し跡がトコジラミによるか他の種類の害虫によるかを決定するのは重要ではなく；刺し跡は、じんましん又は発疹として誤診断され得る。したがって、トコジラミの蔓延はしばしば、それらが認識される前から長期間にわたって続いているかもしれない。
【０００８】
トコジラミの蔓延は、新しい領域にトコジラミを運び込むことに由来する。トコジラミは、持ち物に粘着し、小さいスペースに隠れることができ、旅行者の荷物で輸送され得る。結果として、居住者の入れ替わりが激しい建物（例えば、ホテル、モーテル、宿屋、バラック、クルーズ船、シェルター、養護施設、キャンプ居住地、ドミトリー、コンドミニアム及びアパートメント）は、トコジラミの蔓延に特に虚弱である。
【０００９】
ここに記載されたトコジラミのすべての特徴ゆえに、トコジラミを検出するのも全滅させるのも難しい。専門的な害虫駆除業者及び殺虫剤が必要とされる。室内からすべての荷物及び不要な物を取り除き、吸引により可能な限りのトコジラミ及び卵を取り除き、隠れていると思われる場所に殺虫剤を撒く必要がある。根絶のためのこの種の処置は、ホテルといったビジネスにとって破壊的となり得る。結果として、根絶の手法を開始するためには、できるだけ早くトコジラミの蔓延を検出することが望ましい。
【００１０】
トコジラミの小さく、動き回り、隠れやすい習性により、それらをすぐに発見して処置しない限り、蔓延を防止及び制御することはほとんど不可能である。トコジラミが隣接する部屋への壁、天井及び床の穴を通って移動するのが見出されてきた。トコジラミの早期検出のための装置及び方法が、ホスピタリティ業界において特に必要とされる。
【発明の概要】
【発明が解決しようとする課題】
【００１１】
過去にトコジラミのモニター及び／又は捕獲装置を作製するいくつかの試みがなされてきたが、これらの装置は概して、商業上の効果が証明されなかった。本発明者らは、トコジラミの行動の多くの側面を研究し、このような装置が理想的に機能しない一つの原因は、効果的な捕捉メカニズムの欠落であると考える。
【００１２】
そして、本発明者らにより、多くの他の害虫と異なり、トコジラミは多くの種類の粘着性トラップに耐性を持つようになり、他の虫を捕らえ得るトラップ、特には発熱エレメントを用いていないトラップを横断する（ｃｒｏｓｓ）能力を持つことが見出された。したがって、粘着性トラップにトコジラミをおびき寄せることに頼っているトコジラミモニターでは、トコジラミが単にトラップ表面を歩き、最終的に装置に存在し得るため、効果的ではない。
【００１３】
さらに、トコジラミはそれらが存在する面の粗さに非常に敏感であることが過去に見出された。トコジラミはなめらかな面を歩くことを回避する傾向にあり、それらが非効率に捕捉される前にこのような横断を要する現在のトラップをもたらしている。実際、予想外にも、他の虫の種を制御するのに有効なざらざらな面を有するトラップは（トコジラミ誘引物質を収容するように変形された場合）、トコジラミを制御するのに効果的ではないことが見出された。それらの面は、このような外見上粗い様相にもかかわらず、トコジラミにとってなめらかすぎるようであるからである。
【００１４】
本発明は、新規のトコジラミのモニター及び／又は捕獲装置を提供することで、前述の問題を克服した。
【課題を解決するための手段】
【００１５】
ひとつの観点において、本発明は、垂直面に取りつけられ得るトコジラミのモニター及び／又は捕獲装置に関し、それは、（ａ）トコジラミ誘引エレメント；並びに（ｂ）（ｉ）基底部セグメント；（ｉｉ）内部セグメント；及び（ｉｉｉ）上部セグメントを備える少なくとも１つの通路を備える退避エレメント、を備える。
【００１６】
他の観点において、本発明は、
（ａ）ｉ）アルデヒド；
ｉｉ）有機酸；及び
ｉｉｉ）二酸化炭素；
を含むトコジラミ誘引エレメント；並びに
（ｂ）ｉ）基底部セグメント；
ｉｉ）内部セグメント；及び
ｉｉｉ）上部セグメント；
を備える少なくとも１つの通路を備える退避エレメント；
を備えるトコジラミのモニター及び／又は捕獲装置に関する。
【００１７】
さらなる他の観点において、本発明は、面に１又は２以上の開口部を有する落とし罠トラップを備えるトコジラミのモニター及び／又は捕獲装置に関する。さらなる観点において、トコジラミのモニター及び／又は捕獲装置はさらに、落とし罠トラップに隣接して取りつけられた退避部を備える。さらなる観点において、１又は２以上の開口部は、落とし罠トラップの底面において備えられる。
【００１８】
さらなる他の観点において、本発明は、実質的に取り囲まれた内部空間を画定する筐体、筐体の内部空間内に設けられた少なくとも１つのトコジラミ誘引エレメント；筐体上に画定された又は筐体上に設けられた退避エレメント（前記退避エレメントは、トコジラミが移動することのできる少なくとも１つの通路を画定する；退避エレメントに隣接する場所で筐体の少なくとも１つの壁において画定された少なくとも１つの開口部を備えるトコジラミのモニター及び／又は捕獲装置に関し、トコジラミの誘引エレメントから発散する煙霧は、前記退避エレメントのほうにトコジラミをおびき寄せるために、少なくとも１つの開口部を通って、装置の外側の場所に出て行くことができる。
【００１９】
さらなる他の観点において、本発明は、実質的に取り囲まれた内部空間及び落とし罠トラップを画定する筐体；筐体の内部空間内に設けられた少なくとも１つのトコジラミ誘引エレメント；落とし罠トラップ上の又は落とし罠トラップに隣接した場所で筐体の少なくとも１つの壁に画定された少なくとも１つの開口部を備えるトコジラミのモニター及び／又は捕獲装置に関し、トコジラミの誘引エレメントから発散する煙霧は、前記退避エレメントのほうにトコジラミをおびき寄せるために、少なくとも１つの開口部を通って、装置の外側の場所に出て行くことができる。
【００２０】
さらなる他の観点において、本発明は、実質的に取り囲まれた内部空間を画定する筐体と、筐体のほうにトコジラミをおびき寄せるように内部空間から筐体の外側の１又は２以上の場所への１又は２以上の煙霧通路を備える、筐体の１又は２以上の壁において画定される複数の開口部と；筐体の複数の開口部の少なくとも１つに隣接する場所で筐体の内部空間内に設けられるように構成された二酸化炭素のソース；筐体の複数の開口部の少なくとも１つに隣接する場所で筐体の内部空間内に設けられるように構成された有機酸のソース；並びに筐体の複数の開口部の少なくとも１つに隣接する場所で筐体の内部空間内に設けられるように構成されたアルデヒドのソース備える、トコジラミをモニター及び／又は捕獲するためのキットに関する。
【００２１】
さらなる他の観点において、本発明は、複数のコンパートメントを有する内部空間を備える筐体、並びにトコジラミのモニター及び／又は捕獲装置のほうにトコジラミをおびき寄せるために、空気を内部空間に入れ、内部空間から筐体の外側の場所に二酸化炭素を出す、筐体の壁において画定された少なくとも１つの開口部を備えるトコジラミのモニター及び／又は捕獲装置のための二酸化炭素カートリッジアセンブリに関する。第一の実施態様において、二酸化炭素カートリッジアセンブリは、２つのコンパートメントを有し得、第一のコンパートメント内に収容された第一の化学組成物と、第二のコンパートメント内に収容された第二の化学組成物と、を備える。カートリッジアセンブリはさらに、第一のコンパートメント及び第二のコンパートメントの化学成分の不用意な混合を防止するための、第一のコンパートメント及び第二のコンパートメントをカバーする１又は２以上の取り外し可能なシールを備える得、シールを取り外すと、コンパートメントの化学成分は、二酸化炭素を生成するように、内部空間において収容される空気の水分とともに混合され得る。第二の実施態様において、二酸化炭素カートリッジアセンブリは、第三のコンパートメント内に収容された第三の化学組成物を備え得る。この実施態様において、１又は２以上の取り外し可能なシールは、コンパートメントの化学成分の不用意な混合を防止するために第一の、第二の、及び第三のコンパートメントをカバーし得、シールを取り外すと、複数のコンパートメントの化学成分は、二酸化炭素を生成するように、ともに混合され得る。
【００２２】
他の観点において、本発明は、２つの個別のバイアルを備える筐体；筐体の１つのバイアル内に収容された第一の化学組成物；筐体の他のバイアル内に収容された第二の化学組成物；及びバイアルの化学成分の不用意な放出を防止するようにバイアルをカバーする１又は２以上のシールを備えるトコジラミのモニター及び／又は捕獲装置のためのアンプルアセンブリに関する。
【図面の簡単な説明】
【００２３】
【図１】本発明の第一の典型的な実施形態のトコジラミのモニター及び／又は捕獲装置の斜視図である。
【図２】本発明の該実施形態のトコジラミのモニター及び／又は捕獲装置の側面図である。
【図３】本発明の該実施形態のトコジラミのモニター及び／又は捕獲装置の底面図である。
【図４Ａ】本発明のトコジラミのモニター及び／又は捕獲装置の第二の実施形態の上面図である。
【図４Ｂ】本発明のトコジラミのモニター及び／又は捕獲装置の第二の実施形態の前面図である。
【図４Ｃ】本発明のトコジラミのモニター及び／又は捕獲装置の第二の実施形態の（図４ＢのＡ−Ａ面に沿った）断面図である。
【図５】本発明の第二の実施形態によるトコジラミのモニター及び／又は捕獲装置の斜視図である。
【図６】本発明の第二の実施形態によるトコジラミ誘引物質を含むホルダーの断面図である。
【図７】本発明の第二の実施形態によるトコジラミのモニター装置の斜視図である。
【図８】本発明の第二の実施形態によるトコジラミのモニター装置における使用のための二酸化炭素の生成及び分配のための上部セグメントの斜視図である。
【図９Ａ】本発明のトコジラミのモニター及び／又は捕獲装置の第三の実施形態の上面斜視図である。
【図９Ｂ】本発明のトコジラミのモニター及び／又は捕獲装置の第三の実施形態の上面図である。
【図９Ｃ】本発明のトコジラミのモニター及び／又は捕獲装置の第三の実施形態の背面図である。
【図１０Ａ】本発明のトコジラミのモニター及び／又は捕獲装置の第三の実施形態による落とし罠トラップの上面斜視図である。
【図１０Ｂ】本発明のトコジラミのモニター及び／又は捕獲装置の第三の実施形態による落とし罠トラップの上面図である。
【図１１Ａ】本発明のトコジラミのモニター及び／又は捕獲装置の第三の実施形態のホルダーインサートの上面斜視図である。
【図１１Ｂ】本発明のトコジラミのモニター及び／又は捕獲装置の第三の実施形態のホルダーインサートの底面斜視図である。
【図１１Ｃ】本発明のトコジラミのモニター及び／又は捕獲装置の第三の実施形態のホルダーインサートの左側面図である。
【図１１Ｄ】本発明のトコジラミのモニター及び／又は捕獲装置の第三の実施形態のホルダーインサートの前面図である。
【図１１Ｅ】本発明のトコジラミのモニター及び／又は捕獲装置の第三の実施形態のホルダーインサートの右側面図である。
【図１１Ｆ】本発明のトコジラミのモニター及び／又は捕獲装置の第三の実施形態のホルダーインサートの背面図である。
【図１２Ａ】本発明のトコジラミのモニター及び／又は捕獲装置の第三の実施形態のアンプルホルダーの上面斜視図である。
【図１２Ｂ】本発明のトコジラミのモニター及び／又は捕獲装置の第三の実施形態のアンプルホルダーの底面斜視図である。
【図１２Ｃ】本発明のトコジラミのモニター及び／又は捕獲装置の第三の実施形態のアンプルホルダーの上面図である。
【図１２Ｄ】本発明のトコジラミのモニター及び／又は捕獲装置の第三の実施形態のアンプルホルダーの左側面図である。
【図１３】本発明のトコジラミのモニター及び／又は捕獲装置の第三の実施形態のアンプルの上面斜視図である。
【図１４Ａ】本発明のトコジラミのモニター及び／又は捕獲装置の第三の実施形態の二酸化炭素生成カートリッジ（カートリッジは解放ポジションに回転されて示される）の後部の前面図である。
【図１４Ｂ】本発明のトコジラミのモニター及び／又は捕獲装置の第三の実施形態の二酸化炭素生成カートリッジ（カートリッジは解放ポジションに回転されて示される）の後部の上面斜視図である。
【図１５】本発明のトコジラミのモニター及び／又は捕獲装置の第三の実施形態の退避部の斜視図である。
【図１６Ａ】本発明のトコジラミのモニター及び／又は捕獲装置の第三の実施形態の部分的なアセンブリの上面斜視図である（二酸化炭素カートリッジ及びアンプルが分解組立図で表される一方で、ホルダーインサート、落とし罠トラップ、アンプルホルダー及び退避部は組み立てられた状態で表される）。
【図１６Ｂ】完全に組み立てられた状態で表される図１６Ａのトコジラミのモニター及び／又は捕獲装置の第三の実施形態の部分的なアセンブリの上面斜視図である。
【図１７Ａ】本発明のトコジラミのモニター及び／又は捕獲装置の第三の実施形態のホルダーの上面斜視図である。
【図１７Ｂ】本発明のトコジラミのモニター及び／又は捕獲装置の第三の実施形態のホルダーの底面図である。
【発明を実施するための形態】
【００２４】
ひとつの観点において、本発明は、垂直面に取りつけられ得るトコジラミのモニター及び／又は捕獲装置に関し、それは、（ａ）トコジラミ誘引エレメント；並びに（ｂ）（ｉ）基底部セグメント；（ｉｉ）内部セグメント；及び（ｉｉｉ）上部セグメントを備える少なくとも１つの通路を備える退避エレメント、を備える。該モニター及び／又は捕獲装置はさらに、落とし罠トラップを備え得る。
【００２５】
本発明の装置は、トコジラミが退避部の通路又は落とし罠トラップに入り込むように、該装置にトコジラミをおびき寄せるのに効果的ないかなるトコジラミ誘引因子（誘引物質）を備えていてもよい。用いられ得る誘引因子は、二酸化炭素、熱、フェロモン、ヒトの汗の成分及び同様物を含む。１又は２以上の誘引物質の混合物もまた、用いられ得る。
【００２６】
特に好ましい一つの誘引物質は、不飽和アルデヒト成分（フェロモン成分）及び有機酸成分（カイロモン成分）を含む組成物である。不飽和アルデヒト成分は、トランス−２−ヘキセン−１−アール（ヘキセナール）及びトランス−２−オクテン−１−アール（オクテナール）からなる群より選択される１又は２以上のアルデヒドからなることが好ましい。有機酸成分は、酪酸であることが好ましい。アルデヒド成分は、ヘキセナール及びオクテナールの両方からなる場合、アルデヒドは、ヘキセナール：オクテナールで約１：５から約５：１の比率で存在することが好ましく、より好ましくは、約３：１と約１：３との間の比率である。トコジラミに対してより誘因効果を高めるために、放出されるヘキセナール及びオクテナールの混合物の最適濃度は、約３００ｎｇ／ｈｒから約５００ｎｇ／ｈｒであり、放出される酪酸の最適濃度は、約１００ｎｇ／ｈｒと約３００ｎｇ／ｈｒとの間である。ヘキセナール及びオクテナールに酪酸を混合すると、不安定な組成物が形成され、酸成分からアルデヒド成分を分離する必要がある。適切な比率で誘引組成物の各成分が放出されるように、各成分は製剤中に取り込まれ得、それは、ゲルの形態であり得、固体の形態であり得、水といった極性溶媒に溶解され得、例えばＣ８−Ｃ１２のアルカン、及び好ましくはＣ９−Ｃ１０のアルカンである有機溶媒に溶解され得、又は他の物質にカプセル封入若しくは含浸され得る。本発明の一つの観点において、適切な誘引因子は、約２０００−３０００ｐｐｍのオクテナール、好ましくは約２５００−２８００ｐｐｍのオクテナール、より好ましくは約２７００−２７５０ｐｐｍのオクテナールの濃度の範囲でノナンに溶解されたオクテナールを含む。オクテナールと併せて用いられ得る第二の適切な誘引物質は、約２００−２０００ｐｐｍの酪酸、好ましくは約２４０−４００ｐｐｍの酪酸の濃度の範囲でノナンに溶解された酪酸である。
【００２７】
各成分は、吸収性マテリアルに取り込まれ得、それは例えば、限定されることなく、精製綿、繊維化されたセルロース木材パルプ、合成の詰め物（ｂａｔｔｉｎｇ）、ポリエステルの詰め物（ｂａｔｔｉｎｇ）、フェルト、カードウェブ、高密度ポリエチレンスポンジ、及びハイロフトスパンボンドマテリアル（ｈｉｇｈ  ｌｏｆｔ  ｓｐｕｎｂｏｎｄ  ｍａｔｅｒｉａｌｓ）である。分散を調節するために、半浸透性膜が吸収性マテリアルを包むように用いられ得る。誘引成分はまた、周囲の空気への分散を許容する１又は２以上の孔を備える半浸透性のふた又は密封されたふたのいずれか一方を有する容器より分配され得る。例えば、該ふたは、周囲の空気への分散を許容するように、使用の間際に孔が開けられ得る。適切なふたは、例えば、金属ホイル（例えば、アルミニウムホイル）を含む。金属ホイルのふたは、ポリマーのバイアル又はアンプル（例えば、ＰＥＴＧバイアル又はアンプル）といった、適切な誘引物質容器の開放上部に密封され得る。
【００２８】
他の好ましい実施形態は、共誘引物質として酪酸の使用有り又は無しで、誘引物質であるオクテナール又はヘキセナールを含む。
【００２９】
他の好ましい実施形態は、共誘引物質として酪酸及び二酸化炭素の使用有り又は無しで、誘引物質オクテナール又はヘキセナール及び二酸化炭素を含む。
【００３０】
二酸化炭素は、ドライアイスの昇華により、又は化学反応により生成され、放出調節バルブを有する加圧容器といった種々の手段により分配され得る。
【００３１】
誘引物質が、空気よりわずかに重く、圧縮されていない化学誘引物質（例えばフェロモン、有機酸又は二酸化炭素といった他の誘引物質（前述の混合されたアルデヒド／有機酸の混合物を含む））を含む場合、該装置は、退避エレメントの上部の誘引エレメントを設け誘引物質が重力により退避エレメントの中及び周囲に下がって流れるようにすることにより、トコジラミが、退避エレメントの通路におびき寄せられ、退避エレメントにとどまるよう誘導されるように構成され得る。
【００３２】
本発明の他の実施態様において、該装置は、退避エレメントの隣又は下に誘引エレメントを設けることにより、並びに誘引物質が気化して退避部を取り囲み、及び／又は退避部の隣に設けられた落とし罠トラップに入り込んで退避エレメントに流れ込むことにより、退避エレメントの通路にトコジラミがおびきよせられるように構成され得る。落とし罠トラップには、誘引物質が落とし罠トラップに流れ込むように、その表面に１又は２以上の孔が設けられ得る。１又は２以上の孔は、底面、片方の側面若しくは両側面、又は底面及び片方若しくは両方の側面の組み合わせに設けられ得る。
【００３３】
一実施形態において、退避エレメントは、（ｉ）基底部セグメント（基底部セグメントは、装置が取りつけられる垂直面と同一平面に取りつけられるように適応される）；（ｉｉ）該装置におびき寄せられたトコジラミが入り得る少なくとも１つの開口部を画定する内部セグメント；及び（ｉｉｉ）上部セグメントの３つの部分からなり得る。
【００３４】
本発明の一つの観点において、退避エレメントが簡単に曲がらないように、基底部セグメント及び上部セグメントは、内部セグメントを支えるのに十分強いマテリアルで構成される。基底部セグメント及び上部セグメントに対する適切なマテリアルは、ボール紙（ｃａｒｄｂｏａｒｄ）、チップボード、木、プラスチック及び同様物を含む。基底部セグメントの内部表面は好ましくは、トコジラミが横断可能な面を提供するマテリアルからなり、該面の平均表面粗さは、少なくとも約２．５マイクロメートルである（粗さはＭａｈｒ  Ｐｏｃｋｅｔ  Ｓｕｒｆ（登録商標）ｐｏｒｔａｂｌｅ  ｒｏｕｇｈｎｅｓｓ  ｇａｇｅを用いて測定され得る）。内部セグメントは、この基底部セグメントの内部表面から外側に突き出る１又は２以上の突起部を備える、トコジラミが入ることのできる少なくとも１つの開口部を備える。この１又は２以上の突起部は、トコジラミがその中を這い回ることができるよう十分な寸法を有する１又は２以上の溝を画定する。好ましくは、この突起部は、約２ｍｍと約１０ｍｍとの間の幅の溝を形成するように間隔が空けられる。突起部は好ましくは、形成された溝の底部が断面において凹形となるようにデザインされる。突起部は、トコジラミが形成された溝を通って這い回ることができるように十分な高さを有するべきである。他の適切な内部セグメントのマテリアルは、波形ボール紙である。退避エレメントは、多くの異なる方法においてともに固定され得、トコジラミが存在するかについて内部セグメントを調べるために容易に開放されるべきである。退避エレメントと固定する方法は、上部セグメント及び底部セグメントの内部表面に内部セグメントを接着させること、エレメントをともにホチキス留めすること、又はエレメントをともにテープで留めることを含む。退避エレメントは、上部セグメントが底部セグメント上に係止する態様で蝶番で動くようにされ得、上下又は横方向にスウィングすることで開放されて内部セグメントが露出され得る。
【００３５】
本発明の他の観点において、退避部の底部は、装置が設置される垂直面と同一平面に設置され得る筐体であり、二酸化炭素生成カートリッジ、フェロモン及びカイロモン成分を備えるインサート、並びに落とし罠トラップを収容する。退避部は、装置におびき寄せられたトコジラミが入ることのできる少なくとも１つの開口部を画定する内部セグメントを備え得る。
【００３６】
装置の落とし罠部分及び退避部分は、暗い色、例えば、黒色、茶色、赤色、暗赤色、赤褐色、ダークグレイ、濃紺、ダークブルー、深い紫色、及び同様の色であることが好ましい。トコジラミは、明るい色よりも暗い色のほうに移動することを選択する傾向にあるからである。概して、写真用の標準反射板よりも暗い色が好ましい。装置の残りの目に見える部分は、暗い色であってもよいが、より好ましくは、より明るい色、例えば、白、オフホワイト又はクリーム色であってもよい。
【００３７】
本発明は、添付される図面を参照することでより良く理解され得るが、それは、ある実施例の論証を意図するものであり、いかなる態様においても本発明の範囲を限定することを意図していない。
【００３８】
図１は、本発明のモニター及び／又は捕獲装置１の第一の実施形態の斜視図である。この実施形態において、退避エレメントは、（ｉ）装置が設置される垂直面と同一平面に設置されるように適応された基底部セグメント３０；（ｉｉ）装置におびき寄せられたトコジラミが入ることのできる少なくとも１つの開口部を画定する内部セグメント２０；及び（ｉｉｉ）任意の上部セグメント１０により画定される。本発明の一観点において、任意の上部セグメント１０は、内部セグメント２０の容易な視覚的調査を可能にするように透明なマテリアルである。この実施形態において、内部セグメントは、波型ボール紙からなる。密閉された容器４０及び４１は、分散させるアルデヒド及び酸の誘引物質を収容し、接着、テープ留め又は他の手段により装置に貼られ得る。容器５０及び５１は、生成された二酸化炭素の分散のために上部で少なくとも部分的に開放されており、接着、テープ留め又は他の手段により装置に貼られ得る。
【００３９】
図２は、本発明のトコジラミのモニター及び／又は捕獲装置の第一の実施形態の側面図である。
【００４０】
図３は、本発明のトコジラミのモニター及び／又は捕獲装置の第一の実施形態の底面図である。装置におびき寄せられたトコジラミが入ることのできる少なくとも１つの開口部２１を画定する内部セグメント２０は、波型ボール紙により画定される。その溝は好ましくは垂直又は実質的に垂直の状態にあるが、溝は例えば、種々の角度又はさらには水平の状態にあってもよい。
【００４１】
さらなる実施形態が、図４−８を参照にして記述される。
【００４２】
図４Ａは、本発明のトコジラミのモニター及び／又は捕獲装置１００の第二の実施形態の上面図、図４Ｂは前面図、図４Ｃは（Ａ−Ａ面に沿った）断面図である。この装置は、底部部材１２０、任意の保護カバー１８０、二酸化炭素生成カバー筐体２００及び任意の落とし罠トラップ２３０からなる。
【００４３】
図５は、本発明のトコジラミのモニター及び／又は捕獲装置の第二の実施形態の底部部材１２０の斜視図である。この実施形態において、底部部材は、退避部であり、（ｉ）装置が設置される垂直面と同一平面に設置されるように適応される基底部セグメント１５０；（ｉｉ）装置におびき寄せられたトコジラミが入ることのできる少なくとも１つの開口部を画定する内部セグメント１５１；及び任意の上部セグメント１７０により画定される。内部セグメント１５１は、トコジラミが入ることのできる少なくとも１つの開口部を備え、基底部セグメント１５０の内部表面から外側に突き出る１又は２以上の突起部１５２を備える。このような１又は２以上の突起部は、トコジラミが中で這い回るのに十分な寸法を有する１又は２以上の溝を画定する。好ましくは、このような突起部は、約２ｍｍと約１０ｍｍとの間の幅の溝を形成するように置かれる。突起部は好ましくは、形成された溝の底部が断面図において凹形であるようにデザインされる。突起部は、トコジラミが形成された溝を通って這い回ることのできるのに十分な高さを有するべきである。突起部の表面は好ましくは、トコジラミが移動可能な面を提供するマテリアルからなり、表面の平均表面粗さは少なくとも約２．５ミクロメーターである。突起部は好ましくは、基底部の中央部から基底部の外側に向かって下がるように傾斜が付けられる。しかしながら、いかなる適切なアレンジメントをも用いられ得る。任意の上部セグメント１７０は、突起部の上部に置かれ、ヒンジ１６０で基底部セグメント１５０に取り付けられ得る。基底部セグメントは、退避エリア１５５を通ってトコジラミ誘引物質に向かう１又は２以上の溝を有する。基底部セグメントは、突起部の上部にホルダー１４０を有する。
【００４４】
図６は、ホルダー１４０の断面図である。ホルダー１４０は、アルデヒド及び酸といった化学誘引物質を収容する密閉容器１１２及び１１７を設ける、２つの円柱管１１０及び１１５を有する。密閉容器からの化学誘引物質の分散のために、ボタン１１１及び１１６が内側に押されて密閉容器がホルダー１２５及び１２６において取りつけられたピン１２７及び１２８に押しこまれ、容器のシールに所望の直径の孔を作る。ピンホルダー１２５及び１２６は、部材１２２を取りつけることにより適所に保たれている。孔を開けられた容器は、ホルダー１２５及び１２６の上に設けられた弾性マテリアル１３０（図５で示される）によりピンから押し離され、化学誘引物質が溝１５５の中に流れ出る。基底部セグメント１５０は好ましくは、プラスチックで作られ、好ましくは暗い色である。上部セグメントは好ましくは、プラスチックで作られ、好ましくは突起部を調べるために透明である。
【００４５】
図７は、本発明のトコジラミのモニター及び／又は捕獲装置の第二の実施形態の底部部材１２０の斜視図であり、底部セグメント１５０をカバーし、突起部の上に載っている、閉じられた状態での任意の上部セグメント１７０を示す。保護プラスチックカバー１８０は、ホルダー１４０上にフィットしている。プラスチック製の取り外し可能なタブ１８５は、スロット１９０に沿って設けられ、タブ１８５が取り外されるまでボタン１１１及び１１６が中に押し込まれるのを防いでいる。
【００４６】
図８は、本発明のトコジラミのモニター及び／又は捕獲装置の第二の実施形態の二酸化炭素生成器カバー筐体２００の斜視図である。図８において、隠された特徴が、細い線において示される。カバー筐体２００は、底部ユニット２１０、可動カバー２２０、落とし罠トラップ２３０並びに腕セグメント２４０及び２４１からなる。底部ユニットは、３つの分割領域２１４、２１５及び２１６を画定する２つの仕切壁２１１及び２１２を有する。領域２１４、２１５及び２１６は、ともに混合されると反応してゆっくりと二酸化酸素を放出する化学物質を保持し得る。底部ユニットは、可動カバーガイド２２３のためのロック及びガイドを形成する溝２１３を有する。スナップロック２２２は、閉じた状態の場合に可動カバー２２０がロックされるように各カバーの上部に設けられる。二酸化炭素生成カバー装置を作動させるためには、可動カバー２２０をロックせずに持ち上げておく。カバー筐体２００の向きを変えて、化学物質が領域２１４、２１５及び２１６から可動カバー２２０に流れるようにする。カバー筐体２００を振って化学物質を混合し、二酸化炭素生成化学物質が混合されると、可動カバー２２０はヘッドスペースのチャンバーを形成するリフト状態にされ、化学物質が反応して二酸化炭素を生成する。カバー筐体は、腕セグメント２４０及び２４１を用いてボタン１１１及び１１６（図５及び６に示される）に掛けられる。カバー筐体で生成された二酸化炭素は、ヘッドスペースでゆっくりと上昇し、可動カバー２２０の上部の１又は２以上のスロット２２１を通じてチャンバーに放出される。
【００４７】
トコジラミのモニター及び／又は捕獲装置３００の第三及びさらなる実施形態が、図９−１７を参照に記述される。概してこれらの図面を参照すると、トコジラミのモニター及び／又は捕獲装置３００は概して、実質的に取り囲まれた内部空間を画定する筐体３０１、筐体３０１の後部パネル３６０上に配置された退避部５２０、装置３００を垂直面に取り付けるために筐体３０１の後部パネル３６０に適用される取り付け手段、筐体３０１の内部空間内に取りつけられたアンプルホルダー４７０に連結されたカイロモン／フェロモンアンプル４９０、及び筐体３０１の内部空間内に取りつけられた二酸化炭素生成カートリッジ５００を備える。
【００４８】
装置３００の筐体３０１は概して、ホルダーインサート４００、少なくとも部分的にホルダーインサート４００を封入する底部部材ホルダー３５０、及びホルダーインサート４００の上部表面に設けられた落とし罠トラップ４１０を備える。ホルダーインサート４００、底部部材ホルダー３５０及び落とし罠トラップ４１０は、別々の部材であってもよく、それらの部材の１又は２以上が一体的に形成されていてもよい。そして、退避部５２０は筐体３０１の一体部分であってもよく、筐体３０１に取りつけられた別々の部材であってもよい。
【００４９】
図９Ａは、トコジラミのモニター及び／又は捕獲装置３００の第三の実施形態の上面斜視図であり、図９Ｂは上面図であり、図９Ｃは背面図である（組み立てられた形態で示される）。図９Ａ−９Ｃは、装置３００の底部部材ホルダー３５０、ホルダーインサート４００、落とし罠トラップ４１０及び退避部５２０を図示する。
【００５０】
落とし罠トラップ４１０は、装置３００の筐体３０１の上部側面に設けられる。退避部５２０及び取り付け手段は両方とも、装置３００の後部パネル３６０に設けられる。取り付け手段は、例えば、壁の垂直面に装置３００を取り付けるために、後部パネル３６０に適用される。退避部５２０は、装置３００が取り付けられる垂直面に対向して設けられる。取り付け手段及び退避部５２０は装置３００と同じ側に設けられるからである。したがって、垂直面を這い上がるトコジラミが、装置の退避部５２０に遭遇する。取り付け手段は例えば、両面テープ、フック及びループ取り付け手段、接着剤、ピン、ひも、弾性マテリアル又はブラケット、並びに同様物であり得る。
【００５１】
落とし罠トラップ４１０を除いて、図９Ａ−９Ｃで示される装置３００の筐体３０１の内部接面は、トコジラミに対して移動可能な面を提供するように、少なくとも約２．５マイクロメーターの平均表面粗さを有し得る。
【００５２】
図１０Ａは、本発明のトコジラミのモニター及び／又は捕獲装置３００の第三の実施形態の斜視図であり、図１０Ｂは落とし罠トラップ４１０の上面図である。落とし罠トラップ４１０は、左側面４１１、前面４１４、右側面４２１、背側面４１５及び底部４２０からなる。４つの側面を示しているが、落とし罠トラップ４１０はまた、円形又は楕円形の形状であってもよい。落とし罠トラップ４１０は、１又は２以上の壁で取り囲まれた底面４２０（底面は概して、平坦で水平な面であり、又は円錐形若しくはＶ字形等である）により画定された窪んだ領域を備える。１又は２以上の壁は、垂直であってもよく、ある角度で傾斜していてもよい。落とし罠トラップ４１０の一又は複数の側面（ｓｉｄｅ  ｓｕｒｆａｃｅ  ｏｒ  ｓｕｒｆａｃｅｓ）は、トラップに落ちて入ってきたトコジラミが昇ることができないように、なめらかである。好ましくは、落とし罠トラップ４１０の深さは、トコジラミが逃げられないように、少なくとも１．７ｃｍであり、より好ましくは少なくとも２−３ｃｍである。落とし罠トラップ４１０は、後から前に傾斜がつけられていてもよく（例えば３％の傾斜）、傾斜が全くつけられていなくてもよい。側面が接するジョイント４１７及び底部が側面に接するジョイント４１６は好ましくは、丸みを帯びている。しかしながら、それらは、９０°の角度であり得る。落とし罠トラップ４１０の底面４２０は、二酸化炭素及びカイロモンが落とし罠トラップ４１０に入るように、複数の開口部４１８及び４１９を有する。具体的には、開口部４１８により二酸化炭素が落とし罠トラップ４１０に入り、開口部４１９によりカイロモンが落とし罠トラップ４１０に入る。複数の開口部が図面に示されているが、二酸化炭素及びカイロモンの各々が落とし罠トラップ４１０に入るように単一の開口部を備えることが可能である。一又は複数の開口部は、トコジラミ（及び幼虫）が落とし罠トラップ４１０から這い出ないように十分に小さく、さらには二酸化炭素及びカイロモンが落とし罠トラップ４１０に入っていくように十分に大きいことが望ましい。
【００５３】
図１１Ａは、本発明のトコジラミのモニター及び／又は捕獲装置３００の第三の実施形態の筐体３０１のホルダーインサート４００の上面斜視図であり、図１１Ｂは底面斜視図であり、図１１Ｃは左側面図であり、図１１Ｄは前面図であり、図１１Ｅは右側面図であり、図１１Ｆは背面図である。ホルダーインサート４００は、図１２Ａのアンプルホルダー４７０を備えるトコジラミのモニター及び／又は捕獲装置の他のエレメントを支持するようにデザインされ、同様に、図１３のフェロモン／カイロモンアンプル４９０、図１４Ａの二酸化炭素カートリッジ５００、落とし罠トラップ４１０及び退避部５２０を支持する。
【００５４】
ホルダーインサート４００は、２つの部分から、すなわち、右側面４３２、前面４３８、左側面４４４及び底面４３１により画定され、退避部５２０及び落とし罠トラップ４１０を支持する上部部分と、二酸化炭素カートリッジ５００及びアンプルホルダー４７０を支持するようにデザインされた、下方右側面パネル４３３、底面４３４及び背面パネル４５６により画定された底部部分と、から構成される。示されないが、落とし罠トラップ４１０は、ホルダーインサート４００の上部部分と一体化され得る。
【００５５】
図１１Ｃに良く示されるように、ホルダーインサート４００の上部部分の上端は、例えば、後から前に３％の傾斜がついていてもよく、全く傾斜がついていなくてもよい。ホルダーインサート４００の上部部分の底部４３１は、少なくとも１つの開口部４４２を有しており、それにより、図１４Ａの二酸化炭素カートリッジ５００で生成された二酸化炭素が落とし罠トラップ４１０の開口部４１８を通って落とし罠トラップに入り、また空気中の水分が二酸化炭素生成カートリッジ５００に入る。これに関して、二酸化炭素を作り出す反応を起こすようにカートリッジ内に水分が存在することが望ましい。開口部４４２は、背面パネル４５６まで広がっていてもよい。底面４３１の下部は、二酸化炭素カートリッジ５００の上部をガイドし、支持するのに役立つガイド（トップガイド４４３）を有する。底面４３１の下部はまた、ホルダー３５０の孔３５２及び３５５と連携して（図１７Ａ）、ホルダー３５０でホルダーインサート４００をロックする手段を形成するタブ４４８及び４４９を備え得る。
【００５６】
下方右側面パネル４３３は、上方部４３９により示されるように、図１２Ａのアンプルホルダー４７０を収容するように意図されたパネルの上方部を有するようデザインされる。水平パネル４４１は、アンプルホルダー４７０が所定の場所にセットされると、前方向において背面パネル４５６から突き出て、分割されたコンパートメントを形成する。
【００５７】
バイアル４９２（図１３を参照）から発散するカイロモンの煙霧は、装置３００の別々の通路を通って落とし罠トラップ４１０のほうに向かう。より具体的には、アンプルホルダー４７０が所定の場所にセットされると、スペース４５１は、バイアル４９２（図１３を参照）により作られたカイロモンの煙霧を、底面４３１に設けられた孔４４０を通って落とし罠トラップ４１０の中に、そして落とし罠トラップ４１０の複数の開口部４１９に向かわせる。
【００５８】
バイアル４９１（図１３を参照）から発散するフェロモンの煙霧は、装置３００の別々の通路を通って退避部５２０のほうへ向かう。より具体的には、１又は２以上の開口部４５０は、背面パネル４５６の内部において設けられる。使用すると、バイアル４９１（図１３を参照）により作られたフェロモンの煙霧は、開口部４５０を通って、退避部５２０に昇っていく。
【００５９】
ホルダーインサート４００の側壁４３３のくぼみ部４４５は、アンプルホルダー４７０からカイロモン／フェロモンアンプル４９０を挿入し及び取り出すための人の指に対する空間を提供する。
【００６０】
ホルダーインサート４００の側壁４３３の高くした部位４４６は、アンプルホルダークリップ４８１（図１２Ｄを参照）に対して取り付け部位を提供し、側壁４３３の孔４４７は、アンプルホルダー４７０をホルダーインサート４００に取り付けるアンプルホルダークリップ４８２（図１２Ｄを参照）に対して取り付け部位を提供する。
【００６１】
ホルダーインサート４００の底面４３４は、底面ガイド及びホルダー４３５を備え、二酸化炭素カートリッジ５００の底部をガイドし、支持するのに役立つ。底面４３４はまた、背面パネル４５６を介して設けられた孔４３７を通ってホルダー３５０の内部に二酸化炭素を入らせる、意図された空間４３６を有する。
【００６２】
図１１Ｅは、右側面４３２、下方右側面４３３、意図された上方部４３９、水平パネル４４１及び孔４４７を示す、ホルダーインサート４００の右側面図である。図１１Ｆは、二酸化炭素カートリッジ５００を挿入し及び取り出すための人の指に対して空間を提供するくぼみ部４５７を有するようデザインされた背面パネル４５６、孔４４２及び４３７、上方ガイド４４３、下方ガイド４３５、右側面パネル４３２、前面４３８及び左側面パネル４４４の内部に設けられた溝４５８並びに支持及びガイドリブ４５５を示す、ホルダーインサート４００の背面図である。
【００６３】
図１２Ａは、本発明のトコジラミのモニター及び／又は捕獲装置３００の第三の実施形態のアンプルホルダー４７０の上面斜視図であり、図１２Ｂは底面斜視図であり、図１２Ｃは上面図であり、図１２Ｄは左側面図である。アンプルホルダー４７０は、右側面４７１、前面４７３、左側面４７５、背面４８３及び底面４７７を備え、上部で開放している。側面４７１及び４７５は、高くした部位４４６に取りつけるクリップ４８１及び孔４４７を介して取りつけるクリップ４８２により、ホルダーインサート４００のパネル４３９に取り付けられる時に、アンプルホルダー４７０をガイド及び支持するのに役立つ突起ガイド４７２及び４７６を有する。前面４７３は、タング（ｔａｎｇ）４８０を有するインターロック４７４を備え、それはアンプル４９０のタブ４９３に連結するように内側に突き出ている。図示しないが、アンプルホルダーは、筐体３０１のホルダーインサート４００と一体化されていてもよい。
【００６４】
好ましくは、アンプルホルダー４７０の内部は、図１２Ｃの上面図より見られ得るように、異なるサイズの２つの一体化されたバイアルを有するアンプル４９０（図１３を参照）を支持するようデザインされる。中空の溝を有する２つの先細の針４７９及び４８５は、底面４７７の内部から約３−４ｍｍ突き出ていてもよく、アンプル４９０がホルダー４７０に挿入されると、針４７９及び４８５がアンプルの開口部を覆う密閉マテリアルを突き破り、アンプル４９０の各バイアルのヘッドスペースが入り、揮発したカイロモン及びフェロモンが、針４７９及び４８５の中空の溝を通って、次に孔４７８及び４８４を通って、各々、ホルダーインサート４００の空間４５１及び４５０に入る態様で設けられる。
【００６５】
図１３は、本発明のトコジラミのモニター及び／又は捕獲装置３００の第三の実施形態のアンプル４９０の上面斜視図である。アンプル４９０は、同じ又は異なる容量を有し得る２つの一体化されたバイアルを備える。好ましくは、バイアル４９１は、バイアル４９２よりわずかに大きい。これより、エンドユーザーが、アンプルホルダー４７０の中にアンプル４９０を不適切に挿入するのを防ぐことができる（下記にさらに記載される）。バイアル４９１は、例えば、ノナン中に溶解されたオクテナール及び／又はヘキセナールのフェロモン溶液を含むようデザインされる。
【００６６】
バイアル４９２は、カイロモン溶液、例えば、ノナン中に溶解された酪酸を含むようにデザインされる。タブ４９３は、アンプル４９０がアンプルホルダー４７０に十分に挿入されると、アンプルホルダー４７０のタング（ｔａｎｇ）４８０にかみ合うように、アンプルの４９０の上部付近に設けられる。アンプル４９０のバイアルの形状、アンプルホルダー４７０の内部の形状、並びにタング（ｔａｎｇ）４８０及びタブ４９３のアレンジメントのおかげで、アンプル４９０は、単一の方向においてアンプルホルダー４７０に挿入のみされ得る。
【００６７】
適切な溶液で満たされると、バイアル４９１及び４９２の開口部は、針４７９及び４８５により突き破られ得るマテリアルで密封される。密閉マテリアルは好ましくは、金属ホイル又はプラスチックフィルムである。あるいは、突き破られ得るシールを有する独立したバイアルが、バイアル４９１及び４９２に挿入され得る。リブ４９４は、アンプルホルダー４７０に挿入されると、アンプル４９０をガイド及び固定するのに役立つ。
【００６８】
図１４Ａは、本発明のトコジラミのモニター及び／又は捕獲装置３００の第三の実施形態の、二酸化炭素生成カートリッジ５００の後部の前面図であり、図１４Ｂは上面斜視図である。二酸化炭素生成カートリッジ５００は、一体ヒンジ（ｌｉｖｉｎｇ  ｈｉｎｇｅ）５１０によりともに一体的及び旋回可能に連結された２つの筐体部材を含むクラムシェル型の筐体を含む。カートリッジ５００は、図１４Ａ及び１４Ｂにおいて開放形態にて示され、一方で、カートリッジ５００は、図１６Ａにおいて閉鎖形態にて示される。
【００６９】
カートリッジ５００の第一の筐体部材は、二酸化炭素の生成に必要とされる化学物質のための３つのコンパートメント５０２、５０３及び５０４を備える。コンパートメント５０２は、クエン酸といった乾燥した又は固体の酸を収容し得る。ヒュームドシリカ、例えば、Ｃａｂｏｔ  ＣｏｒｐｏｒａｔｉｏｎからのＣａｂ−Ｏ−Ｓｉｌ（登録商標）ヒュームドシリカ、カオリン土、アモルファスシリカ、例えば、Ｗ．Ｒ．Ｇｒａｃｅ  ａｎｄ  ＣｏｍｐａｎｙからのＳｉｌｏｉｄ（登録商標）シリカ、又はこれらの混合物といった凝集防止剤は、保存の間、フリーフローな乾燥マテリアルを維持するように、コンパートメント５０２において乾燥した酸に加えられ得る。コンパートメント５０３は、塩化マグネシウムといった乾燥した潮解性マテリアル、又は各コンパートメントの成分がともに混合されると水を放出することができる水若しくは水のソースを収容し得る。コンパートメント５０４は、重炭酸ナトリウムといった固体塩基性物質を収容し得る。適切な量の乾燥試薬で満たされると、コンパートメント５０２、５０３及び５０４は好ましくは、乾燥試薬が混合前に各コンパートメントから放出されるように突き破られ又は取り除かれ得るマテリアルで密封される。密閉マテリアルは、例えば、ホイル又はプラスチックであり得る。コンパートメント５０２、５０３及び／又は５０４は、混合を助けるために、使用前に形成されるいかなる塊をも壊すように、ボールベアリングといった硬く又は鋭いマテリアルを含み得る。
【００７０】
カートリッジ５００の第二の筐体部材は、カートリッジ５００が閉じられると乾燥試薬を混合するための空間を提供するコンパートメント５０８を備える。
【００７１】
二酸化炭素生成カートリッジ５００を使用するためには、ユーザーは、コンパートメント５０２、５０３及び５０４における乾燥試薬を密閉するホイル又はプラスチックを剥がすか、コンパートメントから乾燥試薬が出るように十分にシールを突き破る。ユーザーは、カートリッジ５００を閉じ、第二の筐体部材のタブ５１２−ａ、５１２−ｂ及び５１２−ｃを、第一の筐体部材のキャッチ５０１−ａ、５０１−ｂ及び５０１−ｃに各々固定することによりそれを密閉する。第二の筐体部材のリム５０６は、カートリッジ５００が閉められると、第一の筐体部材のスロット５０５に収められ、それによりカートリッジ５００が密閉される。
【００７２】
バッフル５０７は、試薬が混合されるまで閉められたカートリッジ５００をユーザーが振る間、乾燥試薬がコンパートメントから漏れ出るのを防ぐのに役立つ。化学物質が混合されると、ユーザーはカートリッジ５００をホルダーインサート４００に挿入し、生成された二酸化炭素はカートリッジ５００から装置３００の画定された通路を通って落とし罠トラップ４１０に出て行く。より具体的には、二酸化炭素は、カートリッジ５００における複数のベント５０９を通過し、コンパートメント５０８及びリム５１３（コンパートメント５０８を取り囲む）の外縁により画定された空間５１４に行き、外側リム５１３に設けられたベント５１１に行き、落とし罠トラップ４１０における孔４１８に入る。ベント５１１は、落とし罠トラップ４１０における孔４１８の下に位置するようにデザインされる。
【００７３】
図１５は、本発明のトコジラミのモニター及び／又は捕獲装置３００の第三の実施形態の退避部５２０の斜視図である。トコジラミが退避部５２０に、そのマテリアル組成、表面粗さ及び／又は形状ゆえにおびき寄せられるということが見出された。本実施形態において、退避部５２０は、装置３００が対向して設置される垂直面と同一平面に設置されるように適応された基底部セグメント５２１；装置３００におびき寄せられたトコジラミが入ることのできる少なくとも１つの開口部を画定する内部セグメント５２２；及び落とし罠トラップ４１０の背部４１５に取り付けられるようにデザインされた背部セグメント５２３を備える。あるいは、退避部５２０は、装置３００の筐体３０１の外側面全体のすべて又はほとんどすべてをカバーし得る。加えて、退避部５２０は、筐体３０１の後部パネル３６０と一体化されていてもよく、又は、退避部５２０は、示されるように、独立した部材であってもよい。
【００７４】
退避部５２０の内部セグメント５２２は、トコジラミが入ることのできる少なくとも１つの開口部を提供する。１又は２以上の突起部５２４は、背部セグメント５２３の内部表面から外側に突き出ている。１又は２以上の突起部５２４は、トコジラミが這い回るのに十分な寸法を有する１又は２以上の溝又は通路を画定する。好ましくは、このような突起部５２４は、約２ｍｍと約１０ｍｍとの間の幅を有する溝又は通路を形成するように配置される。突起部５２４は好ましくは、それにより形成された溝の底部部分が断面で凹形となるようにデザインされる。突起部５２４は、トコジラミがそれにより形成された溝を通って這い回ることのできるよう十分な高さを有するべきである。隣接した突起部５２４の間に形成された溝又は通路の幅寸法は、トコジラミが落とし罠トラップ４１０のほうへおびき寄せられるように、落とし罠トラップ４１０の方向に次第に小さくなり得る。
【００７５】
突起部５２４の内部表面は好ましくは、トコジラミのために移動可能な表面を提供するマテリアルからなり、この面の平均表面粗さは少なくとも約２．５マイクロメーターである。突起部５２４は好ましくは、下方に向かう方向に背部セグメント５２３の中心から角度が付けられる。示されないが、シートマテリアルが突起部５２４を覆って取りつけられ得、それにより退避部５２０において実質的に取り囲まれた溝を画定する。このようなシートマテリアルは好ましくは、退避部５２０を容易に目視できるように透明である。
【００７６】
図１６Ａは、装置３００の部分アセンブリの分解上面斜視図であり、ホルダーインサート４００、落とし罠トラップ４１０、アンプルホルダー４７０、退避部５２０、二酸化炭素カートリッジ５００及びアンプル４９０の部材を備える。図１６Ｂは、図１６Ａの部分的なアセンブリが組み立てられた状態の上面斜視図である。
【００７７】
図１７Ａは、筐体３０１のホルダー３５０の上面斜視図であり、図１７Ｂは、ホルダー３５０の底面図である。ホルダー３５０は、右側面パネル３５１、前面パネル３５４、左側面パネル３５７、後面パネル３６０及び底面３５９を備える。ホルダー３５０は実質的に、筐体３０１の内部を取り囲む。ホルダー３５０の上部は、ホルダーインサート４００を受け入れるために開放している。孔３５２及び３５５は、各々、右側面パネル３５１及び前面パネル３５４の上隅、並びに前面パネル３５４及び左側面パネル３５７の上隅に設けられ、ホルダーインサート４００がホルダー３５０にセットされると、タブ４４９及び４４８が各々嵌め込まれるようになる。さらに、さらなる手段が、ホルダー３５０でホルダーインサート４００を固定するために用いられ得る。例えば、ジップタイ、ワイヤ、ひも、ビニタイ又は他の適切な固定手段が、孔３５２及び３５５を通して挿入され、さらにホルダーインサート４００とホルダー３５０とを固定するためにタブ４４９及び４９８に固定され得る。サポートリブ３５８は、ホルダーインサート４００がホルダー３５０にセットされると、ホルダーインサート４００をガイド及び支持する。好ましくは、ホルダー３５０の外側面は、トコジラミのために移動可能な表面を提供し、該面の平均表面粗さは、少なくとも約２．５マイクロメーターである。ホルダー３５０及びホルダーインサート４００は、後面パネル３６０及び基底部セグメント５２１に設けられた取り付け手段（例えば、両面テープ、フック及びループ、接着剤、ピン、ひも、弾性マテリアル、ブラケット又は同様物）が、装置が対抗して取り付けられる垂直面と同一平面にあるようにデザインされる。さらに、適切な取り付け手段が、水平面に装置を取り付けるための手段を提供するように、底面３５９に備えられ得る。さらに、後面パネル３６０及び底面３５９が適切な取り付け手段により備えられ得る。
【００７８】
いくつかの化学反応により二酸化炭素が生成し得ることは、本技術分野において良く知られている。本発明の目的で、長時間にわたって二酸化炭素を生成することが望ましい。二酸化炭素は約３６時間にわたって生成されるのが好ましい。水性の酸と重炭酸ナトリウムとの間の化学反応は二酸化炭素を生成するが、反応は通常、早いものである。本発明者らは、乾燥した酸、例えばクエン酸一水和物及び乾燥重炭酸ナトリウムを混合することで、潮解性の無水クエン酸が、１−３日間にわたってゆっくりと二酸化炭素を放出するように、十分に空気からの水分を吸収することを見出した。この反応は、塩化マグネシウムといった潮解性の化学物質を加えることで促進され得る。空気からの水分は、クエン酸及び塩化マグネシウムにより吸収され、二酸化炭素の生成が促進される。クエン酸、重炭酸ナトリウム及び塩化マグネシウムの比率を調節することにより、二酸化炭素の生成が調節され得る。
【実施例】
【００７９】
（実施例１）
室内を５０％の湿度、約７０°Ｆに制御して、プラスチック製の子供用プール（Ｇｅｎｅｒａｌ  Ｆｏａｍ  Ｐｌａｓｔｉｃｓ  Ｃｏｒｐｏｒａｔｉｏｎ、Ｎｏｒｆｏｌｋ  ＶｉｒｇｉｎｉａによるＰＯＬＹ  ＰＯＯＬ）を置いた。トコジラミに対して適切な歩行面を提供するように、紙を所定の位置に固定するためのマスキングテープを用いて、プールを茶色のクラフト紙で覆った。２５匹のトコジラミを退避部として４×４インチフランネルの布片を入れた紙のカップの中に置いた。該カップにキャップをして、トコジラミに空気を提供するためにカップに孔を開け、２時間そのままにし、その後、該プールに置いて順応させた。約３時間後、フランネルの退避部を紙のカップからプールの中に移動させ、サイドから約１０インチのところに置いた。
【００８０】
トコジラミのモニター及び／又は捕獲装置を、２枚の４×４インチのボール紙片及び１枚の４×４インチの波型段ボール片を切り出すことで準備した。波形段ボールをボール紙の間に挟み、ユニットをともに固定するように、ユニットを二側面でホチキス留めし、基底部セグメント（ボール紙の第一片）、内部セグメント（波形段ボール）、及び上部セグメント（ボール紙の第二片）を作った。２本の５０ｍＬのプラスチック製遠心チューブ（Ｃｏｒｎｉｎｇ（登録商標）５０ｍＬポリプロピレン遠心チューブ）を波が垂直に延びるように上部セグメントのボール紙にテープ留めした。
【００８１】
アンプルをポリエチレン製の円筒状の外殻を用いて、高さ１４．５ｍｍ、直径１１ｍｍとなるように作製した。これらの外殻を３００マイクロリッターのノナン中に２．５３５ミリグラムのオクテナールを含む溶液で満たした。超高分子量ポリエチレンで作られた円筒状の多孔質拡散部材を、揮発性の液体がこのような拡散部材により形成された内部容器に収容されるように、対置して外殻内に配置した。外殻の開口部をその後アルミニウムフィルム部材で熱密閉し、拡散部材の底部部位と拡散部材の上部との間に約２〜２．５ｍｍのヘッドスペースを空けた。約０．２３ｍｍの直径を有する孔を、針で突き破ることでアルミニウムフィルムに形成した。３００マイクロリッターのノナン中７１．８５マイクログラムの酪酸を含有する第二のバイアルを、前述と同様の方法で準備した。誘引物質であるオクテナール及び酪酸を含有するバイアルを装置の上部に水平にテープ留めした。
【００８２】
１３．５グラムのクエン酸一水和物、１６．５グラムの重炭酸ナトリウム、及び２．０グラムの塩化マグネシウムの混合物を、独立した容器に入れ、容器にキャップをし、均一な混合物が得られるまで容器を振った。化学混合物を２本の５０ｍＬプラスチック遠心チューブに均等に分けた。
【００８３】
トコジラミのモニター及び／又は捕獲装置を、プラスチック製のプッシュピンを用いてＬ字型の木製スタンドの背面に取り付けた。木製スタンドは、１０×１０インチのパイン材片を１０×２．５インチのパイン材片のベース片に垂直に取り付けることで作製した。１０×１０インチの垂直Ｌ字型フレームの背面は、１００グリッドのサンドペーパーを用いてザラザラにした。誘引物質が添えられたＬ字型フレームを、子供用プールのフランネルの退避部から約２４インチのところに置いた。Ｌ字型フレームがひっくり返らないように、ベース片上に重りを置いた。１７−１８時間後、装置を取り除き、開放された５０ｍＬ遠心チューブに落ち込んだものも含めて、装置内のトコジラミの数をカウントした。テストは、数回繰り返された。誘引物質を含まない装置を用いた（トコジラミは、順応期間後、ひっくり返したペトリ皿のカバーから放たれた）コントロールテスト、及びオクテナール及び酪酸のみを含む装置を用いたテストも、前述と同様の方法にて行った。装置内で見つかったトコジラミの平均の数を、下記の表１に要約して示す。
【００８４】
【表１】
2013544514.tif 000003
【００８５】
（関連出願の相互参照）
本出願は、２０１０年１１月８日に出願された米国仮出願第６１／４１１，０１６号に基づく優先権を主張している。
【図１】
2013544514.tif 000004
【図２】
2013544514.tif 000005
【図３】
2013544514.tif 000006
【図４Ａ】
2013544514.tif 000007
【図４Ｂ】
2013544514.tif 000008
【図４Ｃ】
2013544514.tif 000009
【図５】
2013544514.tif 000010
【図６】
2013544514.tif 000011
【図７】
2013544514.tif 000012
【図８】
2013544514.tif 000013
【図９Ａ】
2013544514.tif 000014
【図９Ｂ】
2013544514.tif 000015
【図９Ｃ】
2013544514.tif 000016
【図１０Ａ】
2013544514.tif 000017
【図１０Ｂ】
2013544514.tif 000018
【図１１Ａ】
2013544514.tif 000019
【図１１Ｂ】
2013544514.tif 000020
【図１１Ｃ】
2013544514.tif 000021
【図１１Ｄ】
2013544514.tif 000022
【図１１Ｅ】
2013544514.tif 000023
【図１１Ｆ】
2013544514.tif 000024
【図１２Ａ】
2013544514.tif 000025
【図１２Ｂ】
2013544514.tif 000026
【図１２Ｃ】
2013544514.tif 000027
【図１２Ｄ】
2013544514.tif 000028
【図１３】
2013544514.tif 000029
【図１４Ａ】
2013544514.tif 000030
【図１４Ｂ】
2013544514.tif 000031
【図１５】
2013544514.tif 000032
【図１６Ａ】
2013544514.tif 000033
【図１６Ｂ】
2013544514.tif 000034
【図１７Ａ】
2013544514.tif 000035
【図１７Ｂ】
2013544514.tif 000036
【国際調査報告】
2013544514.tif 000037
2013544514.tif 000038
2013544514.tif 000039